(57)【要約】【課題】携帯用音楽再生装置を固定可能とすることで携帯用音楽再生装置を体裁良く収納できる蓋体を得る。【解決手段】  ストラップ（ストラップ付キャップ６２）を有する携帯用音楽再生装置（本体６０）を固定するための蓋体２０であって、前記音楽再生装置のストラップ側（キャップ側）が嵌合する開口部２４を上面部２１に設け、前記開口部２４の両側外に前記ストラップ６４を支持する一対の支持部２５を上面部２１に設けることで、蓋体２０の開口部２４にストラップ６４を有する携帯用音楽再生装置（ストラップ付キャップ６２）を挿入し、ストラップ６４を開口部２４の両側外に形成されている支持部２５に支持させることにより、携帯用音楽再生装置を蓋体２０に固定させ、ボトル部１０に収納可能とする。【選択図】    図４
2007006151.tif 000002
【特許請求の範囲】
【請求項１】
ストラップを有する携帯用音楽再生装置を固定するための蓋体であって、
前記音楽再生装置のストラップ側が嵌合する開口部を上面部に設け、
前記開口部の両側外に前記ストラップを支持する一対の支持部を前記上面部に設けたことを特徴とする蓋体。
【請求項２】
蓋体は円筒状に形成され、内側にねじ部を形成した請求項１に記載の蓋体。
【請求項３】
蓋体はプラスチック樹脂から成り、前記支持部は蓋体と一体成型により形成されたフック部である請求項１に記載の蓋体。
【請求項４】
蓋体は円筒状に形成され、全体がフレキシブルな樹脂で形成された請求項３に記載の蓋体。
【請求項５】
蓋体は方形状に形成され、蓋体の反上面側にフレキシブルな樹脂で形成された連結部を設けた請求項３に記載の蓋体。
【請求項６】
請求項２に記載の蓋体と、携帯用音楽再生装置及びこれに接続されるヘッドフォンが収納可能な空間を有するボトル部とを具備し、
前記ボトル部の先端側にねじ山を設け、該ねじ山が前記蓋体に形成されたねじ部に螺着することで両者が固定される携帯用音楽再生装置収納ボトル。
【発明の詳細な説明】
【技術分野】
【０００１】
本発明は、携帯用の音楽再生装置を体裁よく収納するためのアクセサリーに関し、更に詳しくは、音楽再生装置を固定するための蓋体、及びこの蓋体を利用して音楽再生装置を収納する携帯用音楽再生装置収納ボトルの構造に関する。
【背景技術】
【０００２】
近年、パソコンを介して音楽を取り込む方式の小型の携帯用音楽再生装置が各種販売されている。例えばアップルコンピュータ製の携帯用音楽再生装置（商品名：ｉＰｏｄ
ｓｈｕｆｆｌｅ（商標名））は、図６に示すように、操作部を備えた本体６０と、ＵＳＢ端子６１に着脱するキャップ６２と、ヘッドフォン（イヤホン）６５とから成り、予めパソコンにダウンロードした楽曲についてＵＳＢ端子６１を介して携帯用音楽再生装置側に転送し、携帯用音楽再生装置に接続されるヘッドフォン６５で視聴するようになっている。キャップ６２にはストラップ６４が装着され、携帯用音楽再生装置を首に掛けた状態で視聴可能となっている。
【発明の開示】
【発明が解決しようとする課題】
【０００３】
携帯用音楽再生装置を使用しない場合、ヘッドフォン６５を装着した状態又は外した状態で例えば机上に放置することになるが、ヘッドフォン６５はそのままの状態では整頓されている印象がなく体裁が悪いという問題点があった。
【０００４】
また、外出中の場合でバックや鞄の中にそのまま携帯用音楽再生装置を収納した場合、ヘッドフォンが他の物のからみ易い形状のため、接触して破損する可能性があるという問題点があった。
【０００５】
本発明は上記実情に鑑みてなされたもので、携帯用音楽再生装置を固定可能とすることで携帯用音楽再生装置を体裁良く収納できる蓋体、及び、これを使用した携帯用音楽再生装置収納ボトルの構造を提供することを目的としている。
【課題を解決するための手段】
【０００６】
上記目的を達成するため請求項１は、ストラップ（ストラップ付キャップ６２）を有する携帯用音楽再生装置（本体６０）を固定するための蓋体２０であって、前記音楽再生装置のストラップ側（キャップ側）が嵌合する開口部２４を上面部２１に設け、前記開口部２４の両側外に前記ストラップ６４を支持する一対の支持部２５を上面部２１に設けたことを特徴としている。
【０００７】
請求項２は、請求項１に記載の蓋体において、蓋体２０は円筒状に形成され、内側にねじ部２３を形成したことを特徴としている。
【０００８】
請求項３は、請求項１に記載の蓋体において、蓋体２０はプラスチック樹脂から成り、前記支持部２５は蓋体２０と一体成型により形成されたフック部２５であることを特徴としている。
【０００９】
請求項４は、請求項３に記載の蓋体において、蓋体２０は円筒状に形成され、全体がフレキシブルな樹脂で形成されたことを特徴としている。
【００１０】
請求項５は、請求項３に記載の蓋体において、蓋体２０は方形状に形成され、蓋体の反上面部２１側にフレキシブルな樹脂で形成された連結部３０を設けたことを特徴としている。
【００１１】
請求項６は、請求項２に記載の蓋体２０と、携帯用音楽再生装置及びこれに接続されるヘッドフォン６５が収納可能な空間を有するボトル部１０とを具備する携帯用音楽再生装置収納ボトルであって、前記ボトル部１０の先端側にねじ山１２を設け、該ねじ山１２が前記蓋体２０に形成されたねじ部２３に螺着することで両者が固定されることを特徴としている。
【発明の効果】
【００１２】
本発明によれば、蓋体２０の開口部２４にストラップ６４を有する携帯用音楽再生装置（ストラップ付キャップ６２）を挿入し、ストラップ６４を開口部２４の両側外に形成されている支持部２５に支持させることにより、携帯用音楽再生装置を蓋体２０に固定させることができる。
【００１３】
そして、この状態で携帯用音楽再生装置収納ボトル１のボトル部１０内に携帯用音楽再生装置が挿入されるように装着することにより、携帯用音楽再生装置を体裁よく収納することができる。
【００１４】
また、蓋体２０を円筒状に形成し、内側にねじ部２３を形成することで、蓋体２０をボトル部１０に確実に固定させることができる。
【００１５】
また、蓋体２０を全体がフレキシブルな樹脂で形成することで、蓋体側にねじ部を形成しなくても、円筒の径をボトル部の口部に対して小さめに形成すれば、蓋体２０をボトル部１０に確実に固定させるようにすることができる。
【発明を実施するための最良の形態】
【００１６】
本発明の実施の形態の一例としての携帯用音楽再生装置収納ボトルについて、図１乃至図３を参照しながら説明する。
携帯用音楽再生装置収納ボトル１は、上部に先端口部１１が形成された円筒状のボトル部１０と、前記先端口部１１に装着可能な蓋体２０とで構成されている。携帯用音楽再生装置は、図６で説明したように、操作部を備えた本体６０と、ＵＳＢ端子６１に着脱するキャップ６２と、ヘッドフォン６５とから構成されている。キャップ６２はＵＳＢ端子６１を塞ぐもので、ＵＳＢ装着側の反対側の辺に沿って孔部が貫通され、この孔部内に断面が丸状のストラップ６４が挿入されている。
【００１７】
ボトル部１０は、プラスチック樹脂で形成され、内部に携帯用音楽再生装置（本体６０）及びこれに接続されるヘッドフォン（イヤホン）６５が収納可能な空間が形成されている。また、先端口部１１は円形の周囲壁で構成され、その外周にねじ山１２が形成されている。
ボトル部１０の底面には、ヘッドフォン６５のコードが貫通可能な孔部２９が形成されている。
【００１８】
蓋体２０は、プラスチック樹脂で上面部２１と側面部２２とから成る円筒状に一体形成され、側面部２２の内側にボトル部１０の先端口部のねじ山１２に螺着するねじ部２３が形成されている。上面部２１には、その中央位置に、前記音楽再生装置（本体６０）のキャップ６２側が嵌合する方形状の開口部２４を設け、この開口部２４の両側外に前記ストラップ６４を支持する一対のフック状の支持部（フック部）２５，２５が一体的に形成されている。フック状の支持部２５は、幅を有する平板を半円状に曲げて蓋体２０の上面の一方側で隙間を設けたような形状に形成されている。そして、この隙間からストラップ６４が挿入できるように構成されている。
【００１９】
蓋体２０の上面部２１の厚さは、開口部２５に挿入された音楽再生装置（本体６０）をぐらつかせることなく配置させるために、図２に示すようにある程度の板厚を有している。
また、図３に示すように、上面部２１の裏側周囲に溝２６を設け、この溝から側面部２３が立ち上がるように形成することで、蓋体２０の高さを抑えることができ、よりコンパクトな形状とすることができる。
【００２０】
上述の例では、支持部２５を蓋体２０と一体的に形成したが、支持部２５のみを金属体で形成し、蓋体２０の上面部２１にねじ込むような構造であってもよい。
【００２１】
次に、上述した携帯用音楽再生装置収納ボトルの使用方法について、図４（ａ）〜（ｃ）を参照しながら説明する。
先ず、携帯用音楽再生装置（本体６０）からヘッドフォン６５を外し、ボトル部１０内に挿入する（図４（ａ））。
次に、携帯用音楽再生装置に装着されたストラップ付キャップ６２を蓋体２０の開口部２４に挿入する。また、携帯用音楽再生装置を挿入し易くするように、図２及び図３に示すように開口部２４の上端側にアール面２７を形成しておくことが好ましい。
【００２２】
次に、キャップ６２に装着されているストラップ６４を開口部２４の両側外に形成されている支持部２５に挿入して支持させることにより、携帯用音楽再生装置（本体６０）を蓋体２０に固定させる（図４（ｂ））。
最後に、携帯用音楽再生装置が固定された蓋体２０をボトル部１０の先端口部１１のねじ山１２にネジ部２３を螺着させることにより、蓋体２０をボトル部１０に確実に固定させるとともに、携帯用音楽再生装置をボトル部１０内に収納する（図４（ｃ））。
【００２３】
上記例によれば、携帯用音楽再生装置収納ボトルのボトル部１０内に、携帯用音楽再生装置（本体６０）及びヘッドフォン６５を体裁よく収納することができる。
また、この状態でストラップ６４を首から掛けることや車の室内に装着されるボトルホルダーにも載置することができ、バッグや鞄に直接収納せずに携帯用音楽再生装置を安全に収納することができる。
【００２４】
上記例では携帯用音楽再生装置からヘッドフォン６５を外しボトル部１０内に収納するようにしたが、携帯用音楽再生装置にヘッドフォン６５を接続した状態で、ボトル部１０の底部の孔部２９からヘッドフォン６５のコードを貫通させて外に出すようにすれば、携帯用音楽再生装置（本体６０）を携帯用音楽再生装置収納ボトル１のボトル部１０に収納した状態で音楽を聴くことが可能となる。
【００２５】
上記例では、キャップ６２を有する携帯用音楽再生装置を例に説明したが、キャップ６２がない携帯用音楽再生装置であってもこれを直接蓋体２０の開口部２４に反ストラップ側から挿入して固定するようにして収納することができる。したがって、蓋体２０はキャップ６２を有していない携帯用音楽再生装置にも対応することができる。
【００２６】
また、上記例では携帯用音楽再生装置収納ボトル専用のボトル部１０をプラスチック樹脂で形成しているが、蓋体２０の側面部２２の径を、例えば市販の飲料用のボトル（金属製その他）の注ぎ口の径に螺着するように形成しておけば、市販の飲料用のボトルをボトル部１０に代用させることができ、資源の有効利用を図ることができるとともに、市販の飲料用のボトルに描かれた各種デザインを楽しむことができる。
【００２７】
また、蓋体２０を全体がフレキシブルな樹脂で形成することで、蓋体側にねじ部を形成しなくても、円筒の径をボトル部１０の先端口部１１に対して小さめに形成すれば、蓋体２０をボトル部１０に確実に固定させるようにすることができるので、汎用性の高い蓋体２０とすることができる。
【００２８】
図５は本発明の携帯用音楽再生装置収納ボトルの他の例を示すものである。この例では、  蓋体２０は方形状に形成され、蓋体２０が嵌まるボトル部１０も方形に形成されている。
蓋体２０の反上面側には、ボトル部１０内に嵌合するように段差を付けてフレキシブルな樹脂で形成された連結部３０が設けられている。連結３０の中央は、開口部２４に連通する方形孔が形成されている。
【００２９】
また、この連結部３０は、押圧に対して収縮して変形可能に構成することで、ボトル部１０側の先端の先端口部に嵌合するようになっている。すなわち、ボトル部１０の先端口部に蓋体２０を装着するに際して、連結部３０が先端口部によって変形しながら挿入されることで、両者を固定する構造となっている。
図５において、図１〜図４と同様の構成をとる部分については同一符号を付すことで詳細な説明を省略する。
【００３０】
本発明の携帯用音楽再生装置の蓋体２０は、携帯用音楽再生装置（キャップを備えている場合はキャップ）側が嵌合する開口部２４と、ストラップ６４を支持する一対の支持部２５が設けられた上面部２１と、上面部２１と一体若しくは上面部に連結し、ボトル部１０の先端口部に固定可能な構造を備えていればよく、上述した各例の構造に限定されるものではない。
【図面の簡単な説明】
【００３１】
【図１】本発明の実施例に係る携帯用音楽再生装置収納ボトルの構造を示す斜視説明図である。
【図２】本発明の携帯用音楽再生装置収納ボトルの断面説明図である。
【図３】本発明の携帯用音楽再生装置収納ボトルの他の例の断面説明図である。
【図４】（ａ）〜（ｃ）は本発明の携帯用音楽再生装置収納ボトルの使用例を示す説明図である。
【図５】本発明の携帯用音楽再生装置収納ボトルの他の例を示す斜視説明図である。
【図６】携帯用音楽再生装置の構造を説明するための斜視説明図である。
【符号の説明】
【００３２】
１  携帯用音楽再生装置収納ボトル
１０  ボトル部
１１  先端口部
１２  ねじ山
２０  蓋体
２１  上面部
２２  側面部
２３  ねじ部
２４  開口部
２５  支持部（フック部）
２９  孔部
３０  連結部
６０  本体（携帯用音楽再生装置）
６１  ＵＳＢ端子
６２  キャップ
６４  ストラップ
６５  ヘッドフォン（イヤホン）
【図１】
2007006151.tif 000003
【図２】
2007006151.tif 000004
【図３】
2007006151.tif 000005
【図４】
2007006151.tif 000006
【図５】
2007006151.tif 000007
【図６】
2007006151.tif 000008